(57)【要約】【課題】エアシリンダを用いた折り返しフィンガー駆動機構での折り返し工程において、カーカスバンドとビード部材間を密着して、エア入りの発生を防止する。【解決手段】  シリンダ６２内のピストン６３及びピストンロッド６３ａを、空気圧で図２Ａ中右方に摺動させ、ピストンロッド６３ａの先端部を第１の折り返しフィンガー駆動機構６ａの図示左端部に当接させ、シリンダ装置６４を所定距離ビードロック装置１０側に押圧摺動させる。シリンダ装置６４に設けられた折り返しフィンガー６６は、カーカスバンド２０の側部をビードコア２２の周りに一部巻き掛けた状態で停止し（中間停止）、カーカスバンド２０とビードコア２２間を密着してエア抜きを行う（図２Ｂ）。密着させた後、第１の折り返しフィンガー駆動機構６ａでシリンダ装置６４を更に移動させ、折り返しフィンガー６６を更に拡開させ、カーカスバンド２０を完全に折り返す（図２Ｃ）。【選択図】図２
2008296406.tif 000002
【特許請求の範囲】
【請求項１】
タイヤ成型ドラムと、該タイヤ成型ドラム上でタイヤ構成部材を折り返す折り返しフィンガーを備えた折り返し装置とから成るタイヤ成型装置であって、
前記折り返し装置は、折り返しフィンガーの待機位置から中間停止位置までの駆動を行う第２の折り返しフィンガー駆動手段と、中間停止位置から最終位置までの折り返しを行う第１の折り返しフィンガー駆動手段とからなり、
前記第１の折り返しフィンガー駆動手段は、折り返しフィンガー及び該折り返しフィンガー駆動用のエアシリンダ手段を有し、
前記第２の折り返しフィンガー駆動手段は、前記第１の折り返しフィンガー駆動手段を前記折り返しフィンガー駆動方向に移動させる駆動手段を有することを特徴とするタイヤ成型装置。
【請求項２】
請求項１に記載されたタイヤ成型装置において、
前記第２の折り返しフィンガー駆動手段は、前記第１の折り返しフィンガー駆動手段を前記折り返しフィンガー駆動方向に所定距離移動させた状態においてストローク端に達する往復移動手段であって、前記ストローク端において、折り返されたタイヤ構成部材の反力に対抗する押圧力を前記第１の折り返しフィンガー駆動手段に作用させることを特徴とするタイヤ成型装置。
【請求項３】
請求項１又は２に記載されたタイヤ成型装置において、
前記第２の折り返しフィンガー駆動手段は、エアシリンダによる往復移動機構であり、前記第１の折り返しフィンガー駆動手段に当接して押圧又は牽引する手段を有することを特徴とするタイヤ成型装置。
【請求項４】
請求項１ないし３のいずれかに記載されたタイヤ成型装置において、
前記第２の折り返しフィンガー駆動手段は、一又は複数の折り返しフィンガー駆動手段からなることを特徴とするタイヤ成型装置。
【請求項５】
タイヤ成型ドラム上でタイヤ構成部材を折り返してタイヤを成型するタイヤ成型方法であって、
タイヤ構成部材を折返し始動位置から中間折り返し位置まで折り返す第１の折り返し工程と、
前記第１の折り返し工程の終了後、折り返しを中断して折り返したタイヤ構成部材とビード部材とを密着する工程と、
タイヤ構成部材を前記中間折り返し位置から最終位置まで折り返す第２の折り返し工程と、を有することを特徴とするタイヤ成型方法。
【請求項６】
請求項５に記載されたタイヤ成型方法において、
前記密着する工程は、折り返したタイヤ構成部材の反力に対抗する圧力を前記折り返し工程を実行する折り返しフィンガーに付加する工程を有することを特徴とするタイヤ成型方法。
【請求項７】
請求項５又は６に記載されたタイヤ成型方法において、
前記中間折り返し位置は、一又は複数の箇所であることを特徴とするタイヤ成型方法。
【発明の詳細な説明】
【技術分野】
【０００１】
本発明は、生タイヤ成型時にカーカスバンド側部をビード部材の周りに折り返すタイヤ成型ドラムを備えたタイヤ成型装置及びタイヤ製造方法に関する。
【背景技術】
【０００２】
従来、グリーンタイヤを成型する場合、タイヤ成型ドラムの外周に円筒状に成型したタイヤ構成部材上に、ビードコア及びビードフィラー等からなるビード部材を固定（ビードロック）し、タイヤ構成部材を略トロイダル状に膨出させた後、カーカスバンド等の両端をタイヤ半径方向内側から外側に向けて、ビード部材に巻き付けるように折り返して、グリーンタイヤを成型している。
このカーカスバンドの折り返しは、タイヤ成型ドラムの軸方向両側に装着された折り返し装置で行われる（例えば、特許文献１）。
【０００３】
図５は従来の折り返し装置の一例を示す概略側断面図である。
この折り返し装置１１０は、タイヤ成型ドラムの軸方向に摺動可能な空気圧シリンダ１１１と、その機外側端部（図示左端部）に旋回自在に取り付けられた折り返しフィンガー１１２を有し、この折り返しフィンガー１１２の先端にはカーカスバンドを折り返して押圧するための折り返しローラ１１３が回動可能に軸支されている。
【０００４】
この折り返し装置１１０でカーカスバンドを折り返すときは、空気圧により、折り返しフィンガー１１２をタイヤ成型ドラム側（図中右側）に移動させ、上記折り返しローラ１１３でタイヤ半径方向内側から外側に向けてカーカスバンドを折り返すと同時にビード部材に圧着する。
【０００５】
ところで、折り返したカーカスバンドとビード部材との密着が十分になされないと、カーカスバンドとビード部材間にエア入りが発生する。エア入りが発生すると、成型されたタイヤ構成部材の形状を保持したり或いは形状の変化を抑制することができず、延いては、製品タイヤのユニフォミティーを悪化させることになる。
そこで本願発明者は、このエア入りを防止するために、折り返しフィンガー１１２による折り返し加工中に、カーカスバンドを所定の位置まで折り返した状態で折り返しフィンガー１１２を一旦停止（中間停止）させて、カーカスバンドとビード部材間を密着させてエア抜きを行ってから、最終位置までカーカスバンドを折り返すようにすることが有効であるとの知見を得た。
【０００６】
ところが、従来のタイヤ成型ドラムの折り返し装置１１０では、シリンダ内へのエア給排気を停止して折り返しフィンガー１１２を一旦停止させると、カーカスバンドの反力でシリンダ内の空気が圧縮されるため、折り返しフィンガー１１２が押し戻され、逆に押された側の空気が圧縮して今度は折り返しフィンガー１１２が押し返すように働く、つまり振動して容易に停止しない。このように折り返しフィンガー１１２を所定位置にスムーズに停止させることは難しく、したがって密着させてエア抜きを行うことができない。
【０００７】
この問題は、上記折り返しフィンガー駆動機構の駆動媒体が圧縮性であることに起因するから、これを非圧縮性媒体を用いた、例えば油圧機構に代えれば解決できると思われるが、油圧駆動装置は、装置全体として大がかりなものとなり、コストも掛かるという問題がある。また、油圧駆動装置は一般にタイヤ成型ドラムと一体のものではないため、例えばタイヤ成型ドラムを交換するときなどは、油圧装置をその都度取り外さなくてはならず、油汚れの問題や手間が掛かるという問題も生じる。
また、油圧機構を用いた折り返しフィンガー駆動機構自体は既に知られているが（特許文献２参照）、これは上記エア抜きのために折り返しフィンガーを中間停止させるとの技術思想とは何ら関係がないものであり、上記文献には、折り返しを中間停止してタイヤ構成部材とビード部材との密着を図りエア抜きを行うことについては何ら示されていない。
【特許文献１】特開２００５−２４６８２３号公報
【特許文献２】特開２００２−８１４０４号公報
【発明の開示】
【発明が解決しようとする課題】
【０００８】
本発明は、上記の問題を解決するためになされたものであって、その目的は、エアシリンダを用いた折り返しフィンガー駆動機構を用いたタイヤの成型において、タイヤ構成部材とビード部材間を密着して、カーカスバンドの側部とビード部材間のエア入りを防止することである。
また、折り返しフィンガー駆動機構によらず、折り返しを中断してタイヤ構成部材とビード部材間の密着を図りエア入りの発生を防止することである。
【課題を解決するための手段】
【０００９】
請求項１の発明は、タイヤ成型ドラムと、該タイヤ成型ドラム上でタイヤ構成部材を折り返す折り返しフィンガーを備えた折り返し装置とから成るタイヤ成型装置であって、前記折り返し装置は、折り返しフィンガーの待機位置から中間停止位置までの駆動を行う第２の折り返しフィンガー駆動手段と、中間停止位置から最終位置までの折り返しを行う第１の折り返しフィンガー駆動手段とからなり、前記第１の折り返しフィンガー駆動手段は、折り返しフィンガー及び該折り返しフィンガー駆動用のエアシリンダ手段を有し、前記第２の折り返しフィンガー駆動手段は、前記第１の折り返しフィンガー駆動手段を前記折り返しフィンガー駆動方向に移動させる駆動手段を有することを特徴とする。
請求項２の発明は、請求項１に記載されたタイヤ成型装置において、前記第２の折り返しフィンガー駆動手段は、前記第１の折り返しフィンガー駆動手段を前記折り返しフィンガー駆動方向に所定距離移動させた状態においてストローク端に達する往復移動手段であって、前記ストローク端において、折り返されたタイヤ構成部材の反力に対抗する押圧力を前記第１の折り返しフィンガー駆動手段に作用させることを特徴とする。
請求項３の発明は、請求項１又は２に記載されたタイヤ成型装置において、前記第２の折り返しフィンガー駆動手段は、エアシリンダによる往復移動機構であり、前記第１の折り返しフィンガー駆動手段に当接して押圧又は牽引する手段を有することを特徴とする。
請求項４の発明は、請求項１ないし３のいずれかに記載されたタイヤ成型装置において、前記第２の折り返しフィンガー駆動手段は、一又は複数の折り返しフィンガー駆動手段からなることを特徴とする。
請求項５の発明は、タイヤ成型ドラム上でタイヤ構成部材を折り返してタイヤを成型するタイヤ成型方法であって、タイヤ構成部材を折返し始動位置から中間折り返し位置まで折り返す第１の折り返し工程と、前記第１の折り返し工程の終了後、折り返しを中断して折り返したタイヤ構成部材とビード部材とを密着する工程と、タイヤ構成部材を前記中間折り返し位置から最終位置まで折り返す第２の折り返し工程と、を有することを特徴とする。
請求項６の発明は、請求項５に記載されたタイヤ成型方法において、前記密着する工程は、折り返したタイヤ構成部材の反力に対抗する圧力を前記折り返し工程を実行する折り返しフィンガーに付加する工程を有することを特徴とする。
請求項７の発明は、請求項５又は６に記載されたタイヤ成型方法において、前記中間折り返し位置は、一又は複数の箇所であることを特徴とする。
【発明の効果】
【００１０】
本発明によれば、エアシリンダを用いた折り返しフィンガー駆動機構で折り返し工程中に折り返しフィンガーを中間停止できる構成を採用したことにより、タイヤ構成部材とビード部材間を密着することができ、タイヤ構成部材とビード部材間におけるエア入りの発生を防止でき、延いてはタイヤのユニフォミティーを確保することができる。
【発明を実施するための最良の形態】
【００１１】
（第一の実施形態）
以下、本発明の第一の実施形態に係るタイヤ成型装置について、添付図面を参照して説明する。
図１は、第一の実施形態に係るタイヤ成型装置が有するタイヤ成型ドラムの構成を示す断面図であり、図１ａはタイヤ成型ドラムのコア体が拡張した状態を示しており、図１ｂはコア体が拡張されていない状態を示している。
【００１２】
タイヤ成型ドラム１は、図１に示すように、中心軸２、中心軸２上を軸方向に相互に離隔および接近変位する一対のスリーブ４、それぞれのスリーブ４の外周面に設けられ、スリーブ４とは独立に相互に離隔および接近変位されるスライダ５を備えている。このスライダ５の外周上には、ビードコアを固定支持するビードロック装置１０及びカーカスバンド折り返し装置６が固定されている。
【００１３】
両ビードロック装置１０間の軸方向中央部には、タイヤ成型ドラム本体を構成する半径方向に拡縮されるコア体７が設けられ、かつこのコア体７を構成する剛性支持部材に対して、一端部を上記スリーブ４に取り付けられかつ、中間部がヒンジ連結された一対のリンクから成るリンク機構９の他端部が連結されている。
【００１４】
スライダ５の軸方向内側端（図面では中央側）には、コア体７の半径方向外側に延在し、コア体７の周囲の空間を密封してトロイダル状に膨縮変形する補強ゴム膜からなるセンターブラダ８が固定されている。スライダ５は、中心軸２内の中空部に設けたネジ軸３の回転により左右対称に離隔接近変位し、スライダ５に搭載された一対のビードロック装置１０を離隔接近変位させる。
【００１５】
図２は、図１に示したタイヤ構成部材の一実施形態であるカーカスバンドの折り返し装置６及びビードロック装置１０を拡大した側面図であり、図２Ａはカーカスバンドを折り返す前の状態を示し、図２Ｂは所定の位置まで折り返して中間停止した状態を示し、図２Ｃは最後まで折り返した状態を示している。
【００１６】
カーカスバンド折り返し装置６は、図示のように、第１の折り返しフィンガー駆動手段の実施形態である第１の折り返しフィンガー駆動機構６ａと、第２の折り返しフィンガー駆動手段の実施形態である第２の折り返しフィンガー駆動機構６ｂから成っている。
第１の折り返しフィンガー駆動機構６ａは、シリンダベース６１上に摺動自在に配置されており、その基端部を中心に、図面と平行な面内（第１の折り返しフィンガー駆動機構６ａと中心軸２の中心線を含む各面内）で揺動可能に設けられた折り返しフィンガー６６を備え、この折り返しフィンガー６６は、タイヤ成型ドラム周方向に、例えば等間隔に並んで円環状に配置されている。
【００１７】
第１の折り返しフィンガー駆動機構６ａは、それぞれの折り返しフィンガー６６の先端部に回転可能に軸支された一対の折り返しローラ６７（６７ａ、６７ｂ）と、折り返しフィンガー６６を軸方向に往復変位させるシリンダ装置６４と、折り返しフィンガー６６を束ねて常に成型ドラム半径方向内側つまり縮径方向に付勢するエラストマバンド（図示せず）とを備えている。
【００１８】
上記シリンダ装置６４は、スライダ５の周上に固定されたシリンダベース６１と、シリンダベース６１の外周上を摺動する第一摺動壁２３および第二摺動壁２４と、これらの摺動壁２３、２４を連結する円筒壁２５と、シリンダベース６１外周上に固定された固定壁２６で構成されている。固定壁２６、第一摺動壁２３及び円筒壁２５は第一圧力室６４ａを形成し、固定壁２６、第二摺動壁２４及び円筒壁２５は同様に第二圧力室６４ｂを形成している（図２Ｂ参照）。
第一及び第二圧力室６４ａ、６４ｂには、固定壁２６に隣接してそれぞれエア穴ｃ及びｄが形成されている。
【００１９】
第２の折り返しフィンガー駆動機構６ｂは、シリンダベース６１のタイヤ成型装置の機外側（図示左側）端部に固定されたシリンダ６２と、シリンダ６２内に摺動自在に配置されたピストン６３からなり、シリンダ６２の底面及びシリンダベース６１を連通するエア穴ａ、ｂがそれぞれシリンダ６２の両側壁に隣接して設けられている。上記ピストン６３のピストンロッド６３ａは、上記第１の折り返しフィンガー駆動機構６ａのシリンダ装置６４の機外側端部に当接し、それをピストン６３のストロークに相当する長さだけ、シリンダベース６１上でビードロック装置１０側（図示右側）に摺動させ、したがって折り返しフィンガー６６を、図２Ｂに示す位置まで拡開することができる。
なお、ビードロック装置１０にはカーカスバンド２０、ビードコア２２、ビードフィラー２１がこの順番に載置されている。
【００２０】
以上の構成において、まず、図１ｂに示すコア体７が拡開されていない状態において、図示しない駆動手段によってネジ軸３を回転させて、スライダ５を互いに接近する方向に駆動し、それと共に、このスライダ５に固着しているビードロック装置１０及び折り返し装置６を互いに接近する方向に駆動する。
【００２１】
次に、図示しない加圧手段にてセンターブラダ８の内部を加圧し、センターブラダ８及びセンターブラダ８上に固定されているカーカスバンド２０を、トロイダル状に膨出させながら、スリーブ４を図示しない駆動手段によって互いに近接させると、それに連動するリンク機構９によってコア体７が図中上側（ドラム半径方向外側）に変位し、カーカスバンド２０をシェーピングする。
【００２２】
続いて、第２の折り返しフィンガー駆動機構６ｂのシリンダ６２のエア穴ａからエアを供給すると共にエア穴ｂから排気すると、ピストン６３、したがってピストンロッド６３ａは図２Ａ中右方に移動し、その先端部が第１の折り返しフィンガー駆動機構６ａの図示左端に当接して押し、これを右方、つまりビードロック装置１０側にそのストロークに相当する距離だけ押圧摺動させる。これにより、折り返しフィンガー６６は、図２Ｂに示すようにカーカスバンド２０の側部をビードコア２２の回りに一部巻き掛けつつ拡開する。第２の折り返しフィンガー駆動機構６ｂのピストンロッド６３ａは、この位置ではストロークエンドに達しているので、第１の折り返しフィンガー駆動機構６ａもその位置（中間停止位置）で上記摺動を停止する。
【００２３】
この状態では、折り返したカーカスバンド２０の反力が、上記折り返しフィンガー６６及びピストンロッド６３ａを介してピストン６３に伝達されても、ピストン６３に充分な圧力を作用させておくことで上記反力に対抗することができる。つまり、ピストン６３の機外側の面に作用する圧力を高くしても、ピストン６３はストロークエンドに達しているため、それ以上第１の折り返しフィンガー駆動機構６ａをビードロック装置１０側に押し出すことはなく、したがって、ピストン６３に作用する上記圧力を上げることで、折り返しフィンガー６６をカーカスバンド２０の反力に抗して確実にその中間停止位置（又は中間折返位置）に維持することができる。
【００２４】
このように折り返しフィンガー６６を中間停止して、カーカスバンド２０とビードコア２２間を密着してエア抜きを行った後、次に、第１の折り返しフィンガー駆動機構６ａの第一圧力室６４ａに対して加圧エアをエア穴ｄから供給し、同時に、エア穴ｃから第二圧力室６４ｂ内のエアを排気する。それによって、シリンダ装置６４はビードロック装置１０側（図示右側）に移動し、折り返しフィンガー６６を図２Ｃに示す完全に折り返した状態にまで拡開する。
なお、折り返しフィンガーの拡開完了後は、エア穴ｃからエアを第二圧力室６４ｂに供給すると同時に、エア穴ｄから第一圧力室６４ａ内のエアを排気すると、シリンダ装置６４が軸方向外側（図示左側）に移動し、折り返しフィンガー６６も機外側、つまり待機位置（図２Ａに示す、折返しを開始する位置）に戻る。また、第２の折り返しフィンガー駆動機構６ｂも元の位置に戻る。
【００２５】
本実施形態によれば、以上で説明したように、第１及び第２の折り返しフィンガー駆動機構６ａ、６ｂを用いることで、所定の位置までカーカスバンド２０を折り返して中間停止したとき、カーカスバンド２０の反力に対して、折り返しフィンガー６６を中間停止に確実に停止させてカーカスバンド２０とビード部材間を密着してエア入りの発生を防止することができる。
【００２６】
（第二の実施形態）
次に、本発明の第二の実施形態に係るタイヤ成型装置について、添付図面を参照して説明する。
第二の実施形態に係るタイヤ成型装置が有するタイヤ成型ドラムは、既に説明した第一の実施形態に係るタイヤ成型ドラムと、折り返し装置及びビードロック装置の構成を除いて基本構成は同一であるため、ここでは主に折り返し装置及びビードロック装置の構成について説明する。
【００２７】
図３は第二の実施形態に係るタイヤ成型ドラムの折り返し装置の側面図であり、図３Ａはカーカスバンドを折り返す前の状態を示し、図３Ｂは所定の位置まで折り返して中間停止した状態を示し、図３Ｃは最後まで折り返した状態を示している。
カーカスバンドの折り返し装置６は、本発明の第１の折り返しフィンガー駆動手段の実施形態である第１の折り返しフィンガー駆動機構６ｃ及び、同様に第２の折り返しフィンガー駆動手段の実施形態である第２の折り返しフィンガー駆動機構６ｄとからなっている。
【００２８】
ここで、本実施形態に係る第１の折り返しフィンガー駆動機構６ｃは、略筒状をなし、内部にシリンダベース７０に固定した固定壁７４を収容したシリンダ７３から成っている。シリンダ７３のビードロック７７側の移動壁７３ａは、後述する移動壁７２の摺動部７２ａ上を摺動し、かつビードロック７７と反対側の移動壁７３ｂは、シリンダベース７０と同様にタイヤ成型ドラムの中心軸２に同心状に設けられた壁面７８上を摺動する。
また、シリンダ７３の上記移動壁７３ｂには、折り返しフィンガー７５の端部が回転可能に軸支されており、この折り返しフィンガー７５の他端部にはローラ７６が回転可能に軸支されている。
【００２９】
シリンダベース７０には、シリンダ７１内の給排気を行うためのエア穴ｅ、ｆがそれぞれシリンダ７１の端壁に隣接して設けられ、また、シリンダ７３内の給排気を行うためのエア穴ｇ、ｈがそれぞれ固定壁７４の両側に隣接して設けられている。
【００３０】
第２の折り返しフィンガー駆動機構６ｄは、図３に示すように、タイヤ成型ドラム本体内側に配置され、シリンダベース７０上を摺動する移動壁７２と、この移動壁７２を収容した上記シリンダ７１から成っている。移動壁７２の上記シリンダベース７０との摺動部７２ａは、第１の折り返しフィンガー駆動機構６ｃのビードロック側移動壁７３ａの内側に当接する当接部７２ｂを一体に備えている。
【００３１】
本実施形態においては、上記第２の折り返しフィンガー駆動機構６ｄのシリンダ７１に隣接してビードロック駆動機構１０ａが配置されている。ビードロック駆動機構１０ａは、シリンダ８１と、シリンダ８１内に収容される移動壁８２と移動壁８２に一体の摺動部８２ａと、摺動部８２ａに一端を枢着されかつ他端をビードロック７７に連結されたリンク８３とからなり、上記シリンダ８１の両側壁に隣接して設けたエア穴ｉ、ｊで給排気することでビードロック７７を図示上下に摺動させ、カーカスバンド２０、ビードコア２２、ビードフィラー２１の固定又は固定解除を行う。
【００３２】
以上の構成において、まず、図３Ａに示すように、カーカスバンド２０の側部をローラ７６を覆うように被せた状態で、第２の折り返しフィンガー駆動機構６ｄのシリンダ７１のエア穴ｅから給気すると共にエア穴ｆから排気する。
この給排気に伴って、シリンダ７１内の移動壁７２で仕切られた一方側、ここではビードロック側の圧力が上がり、移動壁７２は図３Ａ中左方向に摺動し、これに伴って移動壁７２の当接部７２ｂに当接された移動壁７３ａ（即ちシリンダ７３）も図示左方向へ牽引されて摺動する（図３Ｂ参照）。
【００３３】
シリンダ７３が図中左方向に摺動すると、これに伴ってシリンダ７３に軸支された折り返しフィンガー７５が拡開して、ローラ７６がカーカスバンド２０の側部を所定の位置まで折り返す。
このとき、移動壁７２は図３Ｂに示すように、シリンダ７１内の機外側端壁に当接するため、シリンダ７１内の圧力を上げてもそれ以上摺動することはなく、折り返しフィンガー７５がカーカスバンド２０の反力を受けてもこれに対抗して十分な圧力を供給し続けて、折り返しフィンガー７５が戻ることを完全に防止することができる。この折り返しフィンガー７５の停止中に、カーカスバンド２０とビード部材の間を密着させる。
【００３４】
上記密着を行った後、上記第１の折り返しフィンガー駆動機構６ｃのシリンダ７３のエア穴ｇから、シリンダ７３の固定壁７４のビードコア２２側の空気室内に給気すると同時に、固定壁７４の反対側の空気室内をエア穴ｈから排気して、第１の折り返し駆動機構６ｃのシリンダ７３を図中左方向へ摺動させ、図３Ｃに示すように、折り返しフィンガー７５による折り返し処理を完了させる。
【００３５】
以上で説明したように、本実施形態では第１、第２の折り返しフィンガー駆動機構６ｃ、６ｄを用いることにより、第一の実施形態と同様、折り返しフィンガー７５を中間停止位置で一時停止させ、カーカスバンドとビード部材間を密着させてエア抜きを行うため、従来のように残留エアによる形状の保持困難であるなど、従来のエア入りに起因する問題を解決することができる。
以上で説明した第一及び第二の実施形態においては、第１及び第２の折り返しフィンガー駆動機構を用いて中間停止を行うものとして説明したが、更に折り返しフィンガー駆動機構を増やして、折り返し処理の中間停止を複数回行うことも可能である。
【００３６】
また、第１の折り返しフィンガー駆動手段が折り返しフィンガーを所定の位置まで移動させて中間停止でき、第２の折り返しフィンガー駆動手段が最終位置まで折り返しフィンガーを移動させることができれば、第１及び第２の折り返しフィンガー駆動手段は、必ずしも空気圧によるシリンダ機構に限ることはなく、ねじ機構やリンク機構等でもよい。
【００３７】
次に、本発明の実施形態に係るタイヤの成型方法を説明する。
図４はタイヤの成型方法における処理手順を示すフロー図である。
まず、タイヤ成型ドラムにカーカスバンドを巻回して（Ｓ１０１）、それをビード部材にてビードロックし（Ｓ１０２）カーカスバンドをドラムの内部側から加圧して膨出（シェーピング）を行う（Ｓ１０３）。
【００３８】
カーカスバンドを膨出させた状態で、エアシリンダからなる駆動機構で構成される折り返し装置において、カーカスバンドを所定の位置（中間折り返し位置）まで折り返し、（Ｓ１０４）、折り返したカーカスバンドからの反力に対抗する圧力を折り返しフィンガーに付加して、折り返しフィンガーを停止させ、カーカスバンドとビード部材間を密着してエア抜きを行う（Ｓ１０５）。その後、カーカスバンドを最後まで折り返す（Ｓ１０６）。
続いて、折り返したカーカスバンドにステッチングを施し（Ｓ１０７）、カーカスバンドの外側に、その他ベルト部材やトレッド部材などのタイヤ構成部材を貼り付けて生タイヤを完成させる（Ｓ１０８）。
【００３９】
なお、以上で説明したタイヤの成型方法においては、カーカスバンドの折り返しにおける中間停止を、カーカスバンドのシェーピングの後に行っているが、これに限定されず、その前に行ってもよいし、膨出させている最中に行ってもよい。この場合は、シェーピングによるカーカスバンドの引き抜け（折り返し端が低くなる動き）を抑制することができる。
【００４０】
また、このタイヤの成型方法を実施する折り返し装置の駆動機構は、必ずしもエアシリンダに限らず、非圧縮性媒体を用いた例えば油圧シリンダなどの駆動機構を用いることもできる。この場合は、折り返し装置は折り返しフィンガー駆動機構を第１及び第２の折り返しフィンガー駆動機構とする必要はなく。従来の折り返しフィンガー駆動機構をそのまま用いることができる。
また、ステップＳ１０４、１０５の処理において、中間折り返し位置を複数箇所設けて、密着・エア抜きを複数回行ってもよい。
このタイヤの成型方法によれば、カーカスバンドとビード部材間を密着してエアを排出してから折り返しを続行できるため、成型されたタイヤのエア入りが防止できるため、結果として製品タイヤのユニフォミティーも向上する。
【図面の簡単な説明】
【００４１】
【図１】第一の実施形態に係るタイヤ成型ドラムの構成を示す断面図であり、図１ａはタイヤ成型ドラムのコア体が拡張した状態を示し、図１ｂはコア体が拡張されていない状態を示す。
【図２】タイヤ構成部材の一実施形態であるカーカスバンドの折り返し装置及びビードロック装置を拡大した側面図であり、図２Ａはカーカスバンドを折り返す前の状態を示し、図２Ｂは所定の位置まで折り返して中間停止した状態を示し、図２Ｃは最後まで折り返した状態を示す。
【図３】第二の実施形態に係るタイヤ成型ドラムの折り返し装置の側面図であり、図３Ａはカーカスバンドを折り返す前の状態を示し、図３Ｂは所定の位置まで折り返して一旦停止した状態を示し、図３Ｃは最後まで折り返した状態を示す。
【図４】タイヤの成型方法における処理手順を示すフロー図である。
【図５】従来の折り返し装置の概略側断面図である。
【符号の説明】
【００４２】
１・・・タイヤ成型ドラム、２・・・中心軸、３・・・ネジ軸、４・・・スリーブ、５・・・スライダ、６・・・カーカスバンド折り返し装置、６ａ，６ｃ・・・第１の折り返しフィンガー駆動機構、６ｂ，６ｄ・・・第２の折り返しフィンガー駆動機構、７・・・コア体、８・・・センターブラダ、９・・・リンク機構、１０，７７・・・ビードロック装置、１０ａ・・・ビードロック駆動手段、２０・・・カーカスバンド、２１・・・ビードフィラー、２２・・・ビードコア、２３・・・第一摺動壁、２４・・・第二摺動壁、２５・・・円筒壁、２６，７４・・・固定壁、６１，７０・・・シリンダベース、６２，７１，７３，８１，１１１・・・シリンダ、６３・・・ピストン、６３ａ・・・ピストンロッド、６４・・・シリンダ装置、６４ａ・・・第一圧力室、６４ｂ・・・第二圧力室、６６，７５，１１２・・・折り返しフィンガー、６７，６７ａ，６７ｂ，７６，１１３・・・ローラ、７２，７３ａ，８２・・・移動壁、７２ａ，８２ａ・・・摺動部、７２ｂ・・・当接部、８３・・・リンク、ａ，ｂ，ｃ，ｄ，ｅ，ｆ，ｇ，ｈ，ｉ，ｊ・・・エア穴。
【図１】
2008296406.tif 000003
【図２】
2008296406.tif 000004
【図３】
2008296406.tif 000005
【図４】
2008296406.tif 000006
【図５】
2008296406.tif 000007